(57)【要約】【課題】後頭骨の下縁周囲にある筋、及び経穴に磁力が当たるように、簡単に磁石を装着できる装着体を提供すること。【解決手段】本発明の頭部用磁気装着体は、横が150ミリ〜240ミリで、縦が60ミリ〜120ミリの板状であって、その表面から磁力を発生させる板状磁力発生手段と、前記板状磁界発生手段で発生させた磁力が、人体の頭部の後頭骨下縁の領域と、乳様突起下の領域に与えられるように前記磁力発生手段を保持する保持手段とを具備している。【選択図】図１
2009219589.tif 000002
【特許請求の範囲】
【請求項１】
横が150ミリ〜240ミリで、縦が60ミリ〜120ミリの板状であって、その表面から磁力を発生させる板状磁力発生手段と、
前記板状磁界発生手段で発生させた磁力が、人体の頭部の後頭骨下縁の領域と、乳様突起下の領域に与えられるように前記磁力発生手段を保持する保持手段と
を具備していることを特徴とする頭部用磁気装着体。
【請求項２】
前記板状磁力発生手段の形状を頭部の表面の曲面形状に応じた曲面形状に保持する形状保持手段を具備したことを特徴とする請求項１に記載の頭部用磁気装着体。
【請求項３】
前記保持手段は、人体の頭部の額から耳の上を通り後頭部に巻き付けるベルト状に構成されていることを特徴とする請求項１、２の何れか１項に記載の頭部用磁気装着体。
【請求項４】
ベルト状の前記保持手段の内側面から人体の頭部に向けた磁力を発生させるベルト状磁力発生手段を具備したことを特徴とする請求項１、２、３の何れか１項に記載の頭部用磁気装着体。
【請求項５】
ベルト状の前記保持手段と、前記板状磁力発生手段とは、面ファスナーを用いて係止されていることを特徴とする請求項１〜４の何れか１項に記載の頭部用磁気装着体。
【請求項６】
ベルト状の前記保持手段と、前記板状磁力発生手段とは、磁気吸着されていることを特徴とする請求項１〜４の何れか１項に記載の頭部用磁気装着体。
【請求項７】
前記形状保持手段は、鉄分を多くするとともに形状保持機能を備えたステンレススチール製の板で構成したことを特徴とする請求項１〜６の何れか１項に記載の頭部用磁気装着体。
【発明の詳細な説明】
【技術分野】
【０００１】
本発明は、頭部に対する磁気治療効果を期待できる頭部用磁気装着体に関するものである。
【背景技術】
【０００２】
従来より、頭部に巻き付けるベルト状の装着体に、複数の磁石を配設したものが知られている。
また、粘着シートなどを用いて磁石を首筋に張り付けて配置するものが知られている。
【発明の開示】
【発明が解決しようとする課題】
【０００３】
しかし、上述したベルト状の装着体では、額、こめかみ、耳の上、後頭骨を覆って、それらの部位に磁力を与えることはできるが、後頭骨下縁、及び乳様突起下にある経穴や筋群を覆うことはできないので、それらの部位には磁力を与えることができないという問題があった。
また、上述した粘着シートを用いたものでは、頭髪が邪魔になるので、後頭骨下縁、及び乳様突起下にある経穴や筋群には張り付けることができないという問題があった。
【０００４】
そこで、本発明は、後頭骨の下縁周囲にある筋、及び経穴に磁力が当たるように、簡単に磁石を装着できる装着体の提供を目的としてなされたものである。
【課題を解決するための手段】
【０００５】
本発明にかかる請求項１の頭部用磁気装着体においては、
横が150ミリ〜240ミリで、縦が60ミリ〜120ミリの板状であって、その表面から磁力を発生させる板状磁力発生手段と、
前記板状磁界発生手段で発生させた磁力が、人体の頭部の後頭骨下縁の領域と、乳様突起下の領域に与えられるように前記磁力発生手段を保持する保持手段と
を具備している。
【０００６】
請求項２では、
前記板状磁力発生手段の形状を、頭部の表面の曲面形状に応じた曲面形状に保持する形状保持手段を具備している。
【０００７】
請求項３では、
前記保持手段は、人体の頭部の額から耳の上を通り後頭部に巻き付けるベルト状に構成されている。
【０００８】
請求項４では、
ベルト状の前記保持手段の内側面から人体の頭部に向けた磁力を発生させるベルト状磁力発生手段を具備している。
【０００９】
請求項５では、
ベルト状の前記保持手段と、前記板状磁力発生手段とは、面ファスナーを用いて係止されている。
【００１０】
請求項６では、
ベルト状の前記保持手段と、前記板状磁力発生手段とは、磁気吸着されている。
【００１１】
請求項７では、
前記形状保持手段は、鉄分を多くするとともに形状保持機能を備えたステンレススチール製の板で構成されている。
【発明の効果】
【００１２】
本発明にかかる頭部用磁気装着体の請求項１によれば、
横が150ミリ〜240ミリで、縦が60ミリ〜120ミリの板状であって、その表面から磁力を発生させる板状磁力発生手段によって、頭部の後頭骨下縁の領域と、乳様突起下の領域に磁力を与えることができ、磁気治療効果が期待できる。
【００１３】
請求項２では、
前記板状磁力発生手段の形状を、頭部の表面の曲面形状に応じた曲面形状に保持できるので、乳様突起下の領域に磁力を与えることができ、磁気治療効果が期待できる。
【００１４】
請求項３では、
前記保持手段は、人体の頭部の額から耳の上を通り後頭部に巻き付けるベルト状に構成されているので、板状磁力発生手段を頭部に確実に保持することができる。
【００１５】
請求項４では、
ベルト状の前記保持手段の内側面から人体の頭部に向けた磁力を発生させるので、頭部の周囲に磁力を与え、磁気治療効果が期待できる。
【００１６】
請求項５では、
ベルト状の前記保持手段と、前記板状磁力発生手段とは、面ファスナーを用いて係止されているので、ベルト状の前記保持手段に形成された面ファスナーを利用して、頭部の形状やサイズに応じて、板状磁力発生手段を適切な部位に配置することができる。
【００１７】
請求項６では、
ベルト状の前記保持手段と、前記板状磁力発生手段とは、磁気吸着されているので、ベルト状の前記保持手段に配置された磁石を利用して、頭部の形状やサイズに応じて、板状磁力発生手段を適切な部位に配置することができる。
【００１８】
請求項７では、
前記形状保持手段は、鉄分を多くしたステンレススチール板で構成したので、板状磁力発生手段が乳様突起下の領域に磁力を与えるように保持でき、乳様突起下の領域に対する磁気治療効果が期待できる。
【発明を実施するための最良の形態】
【００１９】
以下に、本発明にかかる頭部用磁気装着体を、その実施の形態を示した図面に基づいて詳細に説明する。
図１、２、３に図示した頭部用磁気装着体１は、湾曲した板状の板状磁力発生手段２と、ベルト状の保持手段３とから構成されている。
前記板状磁力発生手段２は、横が150ミリ〜240ミリで、縦が60ミリ〜120ミリの板状であって、その内側の表面からほぼ垂直方向に磁力を発生させるようにゴム磁石を板状に成形し、袋状の収納部材に収納したものである。
【００２０】
前記板状磁力発生手段２の図上の左右の領域には、頭部に装着した状態において、耳の後ろの頭骨の乳様突起を含む領域に磁力を与えるための左乳様突起磁気部２１と、右乳様突起磁気部２２とが延設され、
前記板状磁力発生手段２の図上のほぼ下半分の領域には、頭部に装着した状態において、頭骨の後頭骨下縁を含む領域に磁力を与えるための後頭骨下縁磁気部２３が形成されている。
【００２１】
後頭骨下縁の領域には、大後頭直筋、小後頭直筋、上頭斜筋等が集まり、Ｃ１横突起、Ｃ１後結筋、Ｃ２棘突起が、後頭骨に付着している。
また、乳様突起の領域には、頸静脈孔から迷走神経（副交感神経）が頸動脈とともに出てきている。
前記頭部用磁気装着体１を装着すれば、これらの部位における経穴に対する磁気治療効果が期待できるのである。
【００２２】
以上の構成の板状磁力発生手段２の平面形状は、図４に図示したように、ほぼ矩形の後頭骨下縁磁気部２３の左右の下隅を僅かに左右に延出させるとともに、下にも延出させて、左乳様突起磁気部２１と、右乳様突起磁気部２２とが形成されている。
【００２３】
前記後頭骨下縁磁気部２３は、前記保持手段３を用いて頭部の形状に合わせて撓ませて装着すればよいが、耳の後ろの頭骨の乳様突起を含む領域は曲面状に湾曲しているので、左乳様突起磁気部２１と、右乳様突起磁気部２２の下片が、頭部から離れやすい。そのため、左乳様突起磁気部２１と、右乳様突起磁気部２２の形状を湾曲させた状態で保持する必要がある。そこで、左乳様突起磁気部２１と、右乳様突起磁気部２２には、形状を保持するための部材として、鉄分の含有率を高めた強磁性体で可撓性を持って形状を保持する機能を備えたステンレススチール製の形状保持板４１、４２を配置した。
【００２４】
前記形状保持板４１、４２は、手で撓ませることによって、使用者の頭部の耳の後ろの曲面形状に合わせて湾曲した形状に容易に変形させることができる。しかも、変形させた状態で、その形状が保持されるので、頭部に装着した場合には、耳の後ろの左右の乳様突起に密着させて使用することができ、左右の乳様突起に与える磁力が減衰しにくいという効果が得られる。
【実施例１】
【００２５】
実施例１においては、
前記保持手段３の平面形状は、図５に図示したように、例えば、幅が30ミリ〜40ミリで、長さが550ミリ〜700ミリ程度の僅かに伸縮性のあるベルト状の形状であり、表面のほぼ全面と、裏面の端部の約60ミリの領域に、面ファスナーを用いた係止手段３１、３２が設けられている。例えば、裏面の端部には面ファスナーの鉤側係止部材３１を配設し、表面には面ファスナーの被係止部材３２を配設するとよい。
【００２６】
頭部に装着するときには、裏面の端部の面ファスナーの鉤側係止部材３１を、表面の適切な部位に係止させることによって、頭部の周長が長い人にも短い人にも調整して装着することができる。
また、前記保持手段３の裏面の中央部分には、ベルト通し状の差し込み部３３を例えば40ミリ毎に形成し、そこに、長さが150ミリ〜240ミリ、幅が10ミリから35ミリ程度の板状のゴム磁石３４を差し込んで保持する。
前記保持手段３の全領域にもゴム磁石等の磁性体を配設するとよい。
【００２７】
前記板状磁力発生手段２の上側の幅20ミリ〜40ミリ程度の領域には、前記ゴム磁石３４に吸着されて保持される板状の磁性体（ゴム磁石でも可）を配設し、この部分を前記保持手段３の裏側に差し込まれたゴム磁石３４に吸着させてもよい。
または、前記板状磁力発生手段２の上側の幅20ミリ〜40ミリ程度の領域には、面ファスナーの鉤側係止部材２４を配設し、図６に示した様に、この部分を前記保持手段３の裏側から上へ通して折り返し、前記保持手段３の表面に形成された面ファスナーの被係止部材３２に係止させてもよい。
【００２８】
なお、以上の説明においては、保持手段３はベルト状の形状とした場合の例で説明したが、ベルト状の形状に限定されるものではなく、帽子状の保持手段とすることも可能である。また、面ファスナーに代えて、他の長さ調節手段を用いて、頭部のサイズに合わせる様にしてもよい。
また、前記板状磁力発生手段２の形状は、矩形に限定されるものではなく、種々の美観に優れた形状とすることが可能であることは言うまでもない。
さらに、磁力を発生させる手段としては、ゴム磁石にかぎらず、種々の磁気材料を袋状の収納部材に収納して使用することができる。
【図面の簡単な説明】
【００２９】
【図１】本発明にかかる頭部用磁気装着体を装着した使用状態の側面図である。
【図２】前記使用状態の背面図である。
【図３】前記頭部用磁気装着体の斜視図である。
【図４】前記頭部用磁気装着体の板状磁力発生手段の平面図である。
【図５】前記頭部用磁気装着体の保持手段の平面図である。
【図６】前記頭部用磁気装着体の要部の側面断面図である。
【符号の説明】
【００３０】
１  頭部用磁気装着体
２  板状磁力発生手段
２１  左乳様突起磁気部
２２  右乳様突起磁気部
２３  後頭骨下縁磁気部
３  保持手段
３１  面ファスナーの鉤側係止部材
３２  面ファスナーの被係止部材
３３  差し込み部
３４  ゴム磁石
４１、４２  形状保持板
【図１】
2009219589.tif 000003
【図２】
2009219589.tif 000004
【図３】
2009219589.tif 000005
【図４】
2009219589.tif 000006
【図５】
2009219589.tif 000007
【図６】
2009219589.tif 000008